(57)【要約】【課題】  コンテンツデータを私的に利用するユーザの利便性を低下させずに、不正コピーを防止することができるコンテンツデータ記録装置およびコンテンツデータ再生装置を提供する。【解決手段】  コピー元記録媒体１１に記録されたコピー対象のオリジナルのコンテンツデータ１１１をコピーして再生制限情報２１４が設定されたコピーコンテンツデータ２１１を生成してコピー先記録媒体２１に記録するコピーデータ生成部３４と、再生制限情報２１４の制限内容を更新する指示を取得したときに、自装置３０に装着された記録媒体内にオリジナルのコンテンツデータ１１１が存在するときには再生制限情報２１４を更新する再生制限情報更新部３８とを有する記録制御部３０と、コピーコンテンツデータ２１１の再生指示を取得したときには再生制限情報２１４の制限に従って再生処理を制御するコンテンツデータ再生制御部４４を有する再生制御部４０とを備える。【選択図】  図１
2009009671.tif 000002
【特許請求の範囲】
【請求項１】
コピー対象のコンテンツデータとこのコピー対象のコンテンツデータがオリジナルのコンテンツデータであることを示す情報およびこのコピー対象のコンテンツデータがコピーされたときの再生制限情報を含む第１オリジナル属性情報とが記録されたコピー元記録媒体が再生専用の記録媒体であるか、または書換え可能な記録媒体であるかを判別するコピー元記録媒体特性判別部と、
前記コピー対象のコンテンツデータがコピーされて生成されたコピーコンテンツデータを記録するためのコピー先記録媒体が１回のみ書き込み可能な記録媒体であるか、または書換え可能な記録媒体であるかを判別するコピー先記録媒体特性判別部と、
前記コピー元記録媒体から前記コピー対象のコンテンツデータを読み出してコピーコンテンツデータを生成し、生成したこのコピーコンテンツデータを前記コピー先記録媒体に記録するコピーデータ生成部と、
前記コピーデータ生成部が、前記コピーコンテンツデータを前記コピー先記録媒体に記録する際に、前記コピー元記録媒体及び前記コピー先記録媒体の各属性を決定し、この決定した属性の情報を前記コピー元記録媒体及び前記コピー先記録媒体にそれぞれ設定する属性情報設定部と、
を有し、
前記属性情報設定部は、
前記コピーデータ生成部により前記コピーコンテンツデータが前記コピー先記録媒体に記録されたときに、
前記コピー元記録媒体特性判別部において前記コピー元記録媒体が再生専用の記録媒体であると判別され、且つ前記コピー先記録媒体特性判別部において前記コピー先記録媒体が書換え可能な記録媒体であると判別されているときには、前記コピーコンテンツデータがコピーされたコンテンツデータであることを示す第１コピー属性情報および前記第１オリジナル属性情報を識別するための第１オリジナル識別情報を生成するとともに、前記第１オリジナル属性情報に記録されている前記コピー対象のコンテンツデータから前記再生制限情報を抽出して第１再生制限情報を生成し、生成した前記第１コピー属性情報と前記第１オリジナル識別情報と前記第１再生制限情報とを前記コピー先記録媒体に記録させ、
前記コピー元記録媒体特性判別部において前記コピー元記録媒体が書き換え可能な記録媒体であると判別され、且つ前記コピー先記録媒体特性判別部において前記コピー先記録媒体が１回のみ書き込み可能な記録媒体であると判別されているときには、前記コピー元記録媒体に記録されている前記第１オリジナル属性情報の内容を前記第２オリジナル属性情報として前記コピー先記録媒体に記録させ、また、前記コピー対象のコンテンツデータをコピーされたコンテンツデータとするための第２コピー属性情報および前記コピー先記録媒体に記録された前記第２オリジナル属性情報を識別するための第２オリジナル識別情報を生成するとともに、前記第２オリジナル属性情報から前記再生制限情報を抽出して第２再生制限情報を生成し、生成した前記第２コピー属性情報と前記第２オリジナル識別情報と前記第２再生制限情報とを前記コピー元記録媒体に記録させ、さらに、前記コピー元記録媒体に記録されていた前記第１オリジナル属性情報を消去させ、
前記コピー元記録媒体特性判別部において前記コピー元記録媒体が書き換え可能な記録媒体であると判別され、且つ前記コピー先記録媒体特性判別部において前記コピー先記録媒体も書換え可能な記録媒体であると判別されているときには、外部からの指示に従って前記コピー元記録媒体に記録された前記コピー対象のコンテンツデータかまたは前記コピー先記録媒体に記録された前記コピーコンテンツデータのいずれかをオリジナルのコンテンツデータであると決定し、前記コピー対象のコンテンツデータがオリジナルのコンテンツデータであると決定したときには、前記第１コピー属性情報と前記第１オリジナル識別情報と前記第１再生制限情報とを生成して前記コピー先記録媒体に記録させ、前記コピーコンテンツデータがオリジナルのコンテンツデータであると決定したときには、前記コピー元記録媒体に記録されている前記第１オリジナル属性情報を前記第２オリジナル属性情報として前記コピー先記録媒体に記録させるとともに、前記第２コピー属性情報と前記第２オリジナル識別情報と前記第２再生制限情報とを生成して前記コピー元記録媒体に記録させ、前記コピー元記録媒体に記録されていた前記第１オリジナル属性情報を消去させる
ことを特徴とするコンテンツデータ記録装置。
【請求項２】
前記再生制限情報、前記第１再生制限情報、および前記第２再生制限情報は、前記コピーコンテンツデータの再生可能期限情報、再生可能試行回数、または消去実行日時の少なくともいずれか１つである
ことを特徴とする請求項１に記載のコンテンツデータ記録装置。
【請求項３】
外部から前記第１再生制限情報または第２再生制限情報を更新するための再生制限情報更新指示を取得したときに、更新対象の前記第１再生制限情報または前記第２再生制限情報と同一処理により生成された前記第１オリジナル識別情報または前記第２オリジナル識別情報に対応する前記第１オリジナル属性情報または前記第２オリジナル属性情報を、自装置に装着された前記コピー元記録媒体または前記コピー先記録媒体の中から検索するオリジナル属性情報検索部と、
前記オリジナル属性情報検索部における検索の結果、更新対象の前記第１再生制限情報または前記第２再生制限情報と同一処理により生成された前記第１オリジナル識別情報または前記第２オリジナル識別情報に対応する前記第１オリジナル属性情報または前記第２オリジナル属性情報が、自装置に装着された前記コピー元記録媒体または前記コピー先記録媒体の中に存在したときには、前記再生制限情報更新指示に従って、更新対象の前記第１再生制限情報または前記第２再生制限情報の記録内容を更新する再生制限情報更新部と、
を備えることを特徴とする請求項１または２に記載のコンテンツデータ記録装置。
【請求項４】
前記請求項１〜３に記載のいずれかのコンテンツデータ記録装置によって、前記コピー元記録媒体または前記コピー先記録媒体に記録されているコンテンツデータの再生指示を外部から取得したときに、この再生対象のコンテンツデータとともに記録されている属性情報がオリジナル属性情報であるかコピー属性情報であるかを判定する属性情報判定部と、
前記属性情報判定部において前記属性情報が前記コピー属性情報であると判定されたときに、このコピー属性情報とともに記録されている前記第１再生制限情報または第２再生制限情報を取得し、取得した前記第１再生制限情報または第２再生制限情報に基づいて前記再生対象のコンテンツデータが再生可能な状態であるか否かを判定する再生条件判定部と、
前記属性情報判定部において前記再生対象のコンテンツとともに記録されている属性情報が前記オリジナル属性情報であると判定されたとき、および、前記再生条件判定部において前記再生対象のコンテンツデータが再生可能な状態であると判定されたときに、該当する再生対象のコンテンツデータを再生するコンテンツデータ再生制御部と、
を備えることを特徴とするコンテンツデータ再生装置。
【発明の詳細な説明】
【技術分野】
【０００１】
本発明は、コンテンツデータデータを記録するコンテンツデータ記録装置および再生するコンテンツデータ再生装置に関する。
【背景技術】
【０００２】
近年、ＤＶＤ（Digital Versatile Disc）、ＨＤ−ＤＶＤ（High Definition DVD）、ＢＤ−Ｒ（Blu-ray Disc）等の大容量記録媒体やコンテンツデータ記録再生装置の普及により、比較的容易にコンテンツデータをコピーして記録することが可能になってきている。
【０００３】
しかし、容易にコンテンツデータがコピー可能となったことにより、不正コピーによる著作権の侵害等、コンテンツデータの作成者、販売者に不利益を与える問題が発生している。
【０００４】
この問題を回避するため、デジタルテレビジョン放送等により配信されるコンテンツデータや、ＤＶＤ等に代表される光記録媒体に記録されているコンテンツデータにおいては、コピープロテクションシステム等の様々な機能により別の記録媒体へのコピーが制限されているものがある。
【０００５】
この制限は、不正コピーを防止する観点では有用であるが、ユーザが私的利用として合法的にコンテンツデータをコピーしたいときには弊害となり、利便性が低下することがあるという問題がある。
【０００６】
例えば、コピーを制限するため、別の記録媒体へのコピーが実行されたときにコピー元の記録媒体のデータが消去されるように設定されたコンテンツデータを携帯用プレーヤのような記録容量限度が少ない記録媒体にコピーすると、コピー対象のコンテンツデータデータは解像度の低いデータに変換されて携帯用プレーヤに記録されるとともに、コピー元の高画質のデータは削除されてしまう。
【０００７】
そのため、再度記録容量の大きい他の記録媒体にコピーしてこのコンテンツデータを視聴しようとしても、元の高画質のデータで視聴することはできなくなってしまうという問題がある。
【０００８】
このような問題を解決するため、特許文献１および２に記載の技術がある。
【０００９】
特許文献１に記載の技術は、現在時刻と、コピー対象のコンテンツデータに予め設定されているコピー制限期間（著作権保護期間）とに基づいてコピー制限動作が決定されるものであり、コピー制限期間経過後はコンテンツデータのコピーが許可されるように設定することができる。
【００１０】
また、特許文献２に記載の技術は、コンテンツデータのコピー回数またはコピーの履歴時間をコピー元媒体に記録しておき、この記録された情報を用いて、予め設定されたコピー有効回数または有効期限によりコンテンツデータのコピーを制限するものである。
【００１１】
これらの技術により、例えば永久的にコピーが禁止されているコンテンツデータに比べて、私的利用範囲内での合法的なコピーが制限されることをできるだけ回避することができる。
【特許文献１】特開２００２−２１６４２０号公報
【特許文献２】特開２００４−２４６９３２号公報
【発明の開示】
【発明が解決しようとする課題】
【００１２】
しかし、上記の特許文献１および特許文献２の技術を用いてもユーザの私的利用は制限されており、オリジナルのデータと同レベルの画質のコンテンツデータデータを複数の記録再生装置に長期間記録したいユーザにとっては利便性が低いという問題がある。
【００１３】
よって本発明は、コンテンツデータを私的に利用するユーザの利便性を低下させずに、不正コピーを防止することができるコンテンツデータ記録装置およびコンテンツデータ再生装置を提供することを目的とする。
【課題を解決するための手段】
【００１４】
上記目的を達成するための本発明のコンテンツデータ記録装置（３０）は、1)コピー対象のコンテンツデータ（１１１）とこのコピー対象のコンテンツデータ（１１１）がオリジナルのコンテンツデータであることを示す情報およびこのコピー対象のコンテンツデータ（１１１）がコピーされたときの再生制限情報を含む第１オリジナル属性情報（１１２）とが記録されたコピー元記録媒体（１１）が再生専用の記録媒体であるか、または書換え可能な記録媒体であるかを判別するコピー元記録媒体特性判別部（３１）と、前記コピー対象のコンテンツデータ（１１１）がコピーされて生成されたコピーコンテンツデータ（２１１）を記録するためのコピー先記録媒体（２１）が１回のみ書き込み可能な記録媒体であるか、または書換え可能な記録媒体であるかを判別するコピー先記録媒体特性判別部（３２）と、前記コピー元記録媒体（１１）から前記コピー対象のコンテンツデータ（１１１）を読み出してコピーコンテンツデータ（２１１）を生成し、生成したこのコピーコンテンツデータ（２１１）を前記コピー先記録媒体（２１）に記録するコピーデータ生成部（３４）と、前記コピーデータ生成部（３４）が、前記コピーコンテンツデータ（２１１）を前記コピー先記録媒体（２１）に記録する際に、前記コピー元記録媒体（１１）及び前記コピー先記録媒体（２１）の各属性を決定し、この決定した属性の情報を前記コピー元記録媒体（１１）及び前記コピー先記録媒体（２１）にそれぞれ設定する属性情報設定部（３５）とを有し、前記属性情報設定部（３５）は、前記コピーデータ生成部（３４）により前記コピーコンテンツデータ（２１１）が前記コピー先記録媒体（２１）に記録されたときに、前記コピー元記録媒体特性判別部（３１）において前記コピー元記録媒体（１１）が再生専用の記録媒体であると判別され、且つ前記コピー先記録媒体特性判別部（３２）において前記コピー先記録媒体（２１）が書換え可能な記録媒体であると判別されているときには、前記コピーコンテンツデータ（２１１）がコピーされたコンテンツデータであることを示す第１コピー属性情報（２１３）および前記第１オリジナル属性情報（１１２）を識別するための第１オリジナル識別情報（２１３）を生成するとともに、前記第１オリジナル属性情報（１１２）に記録されている前記コピー対象のコンテンツデータ（１１１）から前記再生制限情報を抽出して第１再生制限情報（２１４）を生成し、生成した前記第１コピー属性情報（２１２）と前記第１オリジナル識別情報（２１３）と前記第１再生制限情報（２１４）とを前記コピー先記録媒体（２１）に記録させ、前記コピー元記録媒体特性判別部（３１）において前記コピー元記録媒体（１１）が書き換え可能な記録媒体であると判別され、且つ前記コピー先記録媒体特性判別部（３２）において前記コピー先記録媒体（２１）が１回のみ書き込み可能な記録媒体であると判別されているときには、前記コピー元記録媒体（１１）に記録されている前記第１オリジナル属性情報（１１２）の内容を前記第２オリジナル属性情報（２１６）として前記コピー先記録媒体（２１）に記録させ、また、前記コピー対象のコンテンツデータ（１１１）をコピーされたコンテン���データとするための第２コピー属性情報（１１３）および前記コピー先記録媒体（２１）に記録された前記第２オリジナル属性情報（２１６）を識別するための第２オリジナル識別情報（１１４）を生成するとともに、前記第２オリジナル属性情報（２１６）から前記再生制限情報を抽出して第２再生制限情報（１１５）を生成し、生成した前記第２コピー属性情報（１１３）と前記第２オリジナル識別情報（１１４）と前記第２再生制限情報（１１５）とを前記コピー元記録媒体（１１）に記録させ、さらに、前記コピー元記録媒体（１１）に記録されていた前記第１オリジナル属性情報（１１２）を消去させ、前記コピー元記録媒体特性判別部（３１）において前記コピー元記録媒体（１１）が書き換え可能な記録媒体であると判別され、且つ前記コピー先記録媒体特性判別部（３２）において前記コピー先記録媒体（２１）も書換え可能な記録媒体であると判別されているときには、外部からの指示に従って前記コピー元記録媒体（１１）に記録された前記コピー対象のコンテンツデータ（１１１）かまたは前記コピー先記録媒体（２１）に記録された前記コピーコンテンツデータ（２１１）のいずれかをオリジナルのコンテンツデータであると決定し、前記コピー対象のコンテンツデータ（１１１）がオリジナルのコンテンツデータであると決定したときには、前記第１コピー属性情報（２１２）と前記第１オリジナル識別情報（２１３）と前記第１再生制限情報（２１４）とを生成して前記コピー先記録媒体（２１）に記録させ、前記コピーコンテンツデータ（２１１）がオリジナルのコンテンツデータであると決定したときには、前記コピー元記録媒体（１１）に記録されている前記第１オリジナル属性情報（１１２）を前記第２オリジナル属性情報（２１６）として前記コピー先記録媒体（２１）に記録させるとともに、前記第２コピー属性情報（１１３）と前記第２オリジナル識別情報（１１４）と前記第２再生制限情報（１１５）とを生成して前記コピー元記録媒体（１１）に記録させ、前記コピー元記録媒体（１１）に記録されていた前記第１オリジナル属性情報（１１２）を消去させることを特徴とする。
【００１５】
また、このコンテンツデータ記録装置（３０）は、2)前記再生制限情報、前記第１再生制限情報、および前記第２再生制限情報は、前記コピーコンテンツデータの再生可能期限情報、再生可能試行回数、または消去実行日時の少なくともいずれか１つとしてもよい。
【００１６】
また、このコンテンツデータ記録装置（３０）は、3)外部から前記第１再生制限情報または第２再生制限情報を更新するための再生制限情報更新指示を取得したときに、更新対象の前記第１再生制限情報（２１４）または前記第２再生制限情報（１１５）と同一処理により生成された前記第１オリジナル識別情報（２１３）または前記第２オリジナル識別情報（１１４）に対応する前記第１オリジナル属性情報（１１２）または前記第２オリジナル属性情報（２１６）を、自装置（３０）に装着された前記コピー元記録媒体（１１）または前記コピー先記録媒体（２１）の中から検索するオリジナル属性情報検索部（３７）と、前記オリジナル属性情報検索部（３７）における検索の結果、更新対象の前記第１再生制限情報（２１４）または前記第２再生制限情報（１１５）と同一処理により生成された前記第１オリジナル識別情報（２１３）または前記第２オリジナル識別情報（１１４）に対応する前記第１オリジナル属性情報（１１２）または前記第２オリジナル属性情報（２１６）が、自装置（３０）に装着された前記コピー元記録媒体（１１）または前記コピー先記録媒体（２１）の中に存在したときには、前記再生制限情報更新指示に従って、更新対象の前記第１再生制限情報（２１４）または前記第２再生制限情報（１１５）の記録内容を更新する再生制限情報更新部（３８）とを備えるように構成してもよい。
【００１７】
また、本発明のコンテンツデータ再生装置（４０）は、4)前記1)〜3)に記載のいずれかのコンテンツ記録装置（３０）によって前記コピー元記録媒体（１１）または前記コピー先記録媒体（１２）に記録されているコンテンツデータの再生指示を外部から取得したときに、この再生対象のコンテンツデータとともに記録されている属性情報がオリジナル属性情報であるかコピー属性情報であるかを判定する属性情報判定部（４１）と、前記属性情報判定部（４１）において前記属性情報が前記コピー属性情報であると判定されたときに、このコピー属性情報とともに記録されている前記第１再生制限情報または第２再生制限情報を取得し、取得した前記第１再生制限情報または第２再生制限情報に基づいて前記再生対象のコンテンツデータが再生可能な状態であるか否かを判定する再生条件判定部（４２）と、前記属性情報判定部（４１）において前記再生対象のコンテンツとともに記録されている属性情報が前記オリジナル属性情報であると判定されたとき、および、前記再生条件判定部（４２）において前記再生対象のコンテンツデータが再生可能な状態であると判定されたときに、該当する再生対象のコンテンツデータを再生するコンテンツデータ再生制御部（４３）とを備えることを特徴とする。
【００１８】
本発明において、「コピー元記録媒体」とはコピー対象のコンテンツデータが既に記録されている記録媒体であり、「コピー先記録媒体」とはコピーされたコンテンツデータを新たに記録する別の記録媒体であり、「１回書込用記録媒体」とは１回のみ書き込み可能でありコンテンツデータが記録されていない記録媒体であり、「再生専用記録媒体」とは１回のみ書き込み可能でありコンテンツデータが記録された記録媒体であり、「書換用記録媒体」とは書き換え可能な記録媒体である。
【発明の効果】
【００１９】
本発明のコンテンツデータ記録装置およびコンテンツデータ再生装置によれば、コンテンツデータを私的に利用するユーザの利便性を低下させずに、不正コピーを防止することができる。
【発明を実施するための最良の形態】
【００２０】
本発明の一実施形態としてのコンテンツデータ記録装置およびコンテンツデータ再生装置を利用したコンテンツデータ記録再生装置について説明する。
【００２１】
以下、本実施形態において、コピー対象のコンテンツデータが既に記録されている記録媒体を「コピー元記録媒体」とし、コピーされたコンテンツデータを新たに記録する別の記録媒体を「コピー先記録媒体」と称する。
【００２２】
また、これらの記録媒体の特性として、１回のみ書き込み可能でありコンテンツデータが記録されていない記録媒体を「１回書込用記録媒体」、１回のみ書き込み可能でありコンテンツデータが記録された記録媒体を「再生専用記録媒体」、書き換え可能な記録媒体を「書換用記録媒体」と称する。
【００２３】
〈一実施形態によるコンテンツデータ記録再生装置の構成〉
本実施形態によるコンテンツデータ記録再生装置１の構成を、図１〜図４を参照して説明する。図１は、本実施形態によるコンテンツデータ記録再生装置１の構成を示すブロック図である。
【００２４】
本実施形態によるコンテンツデータ記録再生装置１は、コピー元記録媒体を挿入するコピー元記録媒体用ドライブ１０と、コピー先記録媒体を挿入するコピー先記録媒体用ドライブ２０と、コンテンツデータ記録装置として機能する記録制御部３０と、コンテンツデータ再生装置として機能する再生制御部４０と、ユーザの操作によりコンテンツデータコピー指示、再生制限情報更新指示、およびコンテンツデータ再生指示等を入力するユーザ入力部５０とを有する。
【００２５】
コピー元記録媒体用ドライブ１０は、挿入されたコピー元記録媒体１１からのデータの読み出しおよびコピー元記録媒体１１へのデータの書き込みを行う。
【００２６】
コピー元記録媒体１１には、コピー対象のコンテンツデータ１１１とともに、このコピー対象のコンテンツデータ１１１がオリジナルのコンテンツデータであることを示す情報およびこのコピー対象のコンテンツデータ１１１の再生可能期限情報、再生可能試行回数、消去実行日時、または再生操作可能なユーザを識別するパスワードなどの再生制限情報を含む第１オリジナル属性情報１１２が記録されている。
【００２７】
コピー先記録媒体用ドライブ２０は、挿入されたコピー先記録媒体２１からのデータの読み出しおよびコピー先記録媒体２１へのデータの書き込みを行う。
【００２８】
記録制御部３０は、コピー元記録媒体特性判別部３１と、コピー先記録媒体特性判別部３２と、媒体特性比較部３３と、コピーデータ生成部３４と、属性情報設定部３５と、属性選択部３６と、オリジナル属性情報検索部３７と、再生制限情報更新部３８とを有する。
【００２９】
コピー元記録媒体特性判別部３１は、コピー元記録媒体１１が再生専用の記録媒体であるか、または書換え可能な記録媒体であるかを判断することにより、コピー元記録媒体１１の媒体特性を判別する。
【００３０】
コピー先記録媒体特性判別部３２は、コピー先記録媒体２１が１回のみ書き込み可能な記録媒体であるか、または書換え可能な記録媒体であるかを判断することにより、コピー先記録媒体２１の媒体特性を判別する。
【００３１】
媒体特性比較部３３は、コピー元記録媒体特性判別部３１およびコピー先記録媒体特性判別部３２の判別結果を比較し、図２に示すように、（ａ）コピー元記録媒体が再生専用の記録媒体でありコピー先記録媒体が書換え可能な記録媒体である場合と、（ｂ）コピー元記録媒体が書き換え可能な記録媒体でありコピー先記録媒体が１回のみ書き込み可能な記録媒体である場合と、（ｃ）コピー元記録媒体、コピー先記録媒体ともに書換え可能な記録媒体である場合とのいずれに該当するかを判定する。
【００３２】
コピーデータ生成部３４は、ユーザ入力部５０からコンテンツデータをコピーするためのコンテンツデータコピー指示が入力されたときに、コピー元記録媒体１１からコピー対象のコンテンツデータ１１１を読み出してコピーすることによりコピーコンテンツデータ２１１を生成し、生成したこのコピーコンテンツデータ２１１をコピー先記録媒体２１に記録する。
【００３３】
属性情報設定部３５は、コピーデータ生成部３４においてコピーされたコンテンツデータがコピー先記録媒体２１に記録されたときに、このコピーされたコンテンツデータの属性情報、再生制限情報等のコピーコンテンツデータに関連する情報を生成し記録させる。
【００３４】
コピーデータ生成部３４によりコピーコンテンツデータが生成および記録され、属性情報設定部３５によりコピーコンテンツデータに関連する情報が生成および記録されたときのコピー元記録媒体１１、コピー先記録媒体２１、記録制御部３０のコピーデータ生成部３４および属性情報設定部３５の詳細な構成を図３および図４に示す。
【００３５】
属性情報設定部３５は、コピーデータ生成部３４においてコピーされたコンテンツデータがコピー先記録媒体２１に記録され、且つ媒体特性比較部３３において（ａ）コピー元記録媒体が再生専用の記録媒体でありコピー先記録媒体が書換え可能な記録媒体であると判定されているときに、図３に示すように、コピーコンテンツデータ２１１がコピーされたコンテンツデータであることを示す第１コピー属性情報２１２およびコピー元記録媒体１１に記録されている第１オリジナル属性情報１１２を識別するための第１オリジナル識別情報２１３を生成し、さらに第１オリジナル属性情報１１２に記録されている再生制限情報を抽出して第１再生制限情報２１４を生成し、これらの第１コピー属性情報２１２と、第１オリジナル識別情報２１３と、第１再生制限情報２１４とをコピー先記録媒体２１に記録させる。
【００３６】
また、属性情報設定部３５は、コピーデータ生成部３４においてコピーされたコンテンツデータがコピー先記録媒体２１に記録され、且つ媒体特性比較部３３において（ｂ）コピー元記録媒体が書き換え可能な記録媒体でありコピー先記録媒体が１回のみ書き込み可能な記録媒体であると判定されているときに、図４に示すように、コピー元記録媒体１１に記録されている第１オリジナル属性情報１１２の内容を第２オリジナル属性情報２１５としてコピー先記録媒体２１に記録させるとともに、コピー対象のコンテンツデータ１１１をコピーされたコンテンツデータとするための第２コピー属性情報１１３を生成し、コピー先記録媒体２１に記録された第２オリジナル属性情報２１５を識別するための第２オリジナル識別情報１１４を生成し、さらに第２オリジナル属性情報２１５から再生制限情報を抽出して第２再生制限情報１１５を生成し、これらの第２コピー属性情報１１３、第２オリジナル識別情報１１４、および第２再生制限情報１１５をコピー元記録媒体１１に記録させる。コピー元記録媒体１１にこれらの情報を記録させた後、属性情報設定部３５はコピー元記録媒体１１に記録されていた第１オリジナル属性情報１１２を消去させる。
【００３７】
また、属性情報設定部３５は、コピーデータ生成部３４においてコピーされたコンテンツデータがコピー先記録媒体２１に記録され、且つ媒体特性比較部３３において（ｃ）コピー元記録媒体、コピー先記録媒体ともに書換え可能な記録媒体であると判定され、さらに後述する属性選択部３６によりコピー対象のコンテンツデータ１１１をオリジナルのコンテンツデータとすることが決定されたときには、図３に示すように、第１コピー属性情報２１２と、第１オリジナル識別情報２１３と、第１再生制限情報とを生成してコピー先記録媒体２１に記録させる。
【００３８】
また、属性情報設定部３５は、コピーデータ生成部３４においてコピーされたコンテンツデータがコピー先記録媒体２１に記録され、且つ媒体特性比較部３３において（ｃ）コピー元記録媒体、コピー先記録媒体ともに書換え可能な記録媒体であると判定され、さらに属性選択部３６における処理結果によりコピーコンテンツデータ２１１をオリジナルのコンテンツデータとすることが決定されたときには、図４に示すように、コピー元記録媒体１１に記録されている第１オリジナル属性情報１１２を第２オリジナル属性情報としてコピー先記録媒体２１に記録させるとともに、第２コピー属性情報１１３と、第２オリジナル識別情報１１４と、第２再生制限情報１１５とを生成してコピー元記録媒体１１に記録させ、コピー元記録媒体１１に記録されていた第１オリジナル属性情報１１２を消去させる。
【００３９】
属性選択部３６は、媒体特性比較部３３において（ｃ）コピー元記録媒体、コピー先記録媒体ともに書換え可能な記録媒体であると判定されたときに、ユーザの指示により、またはコンテンツデータ記録再生装置１に予め設定された基準により、コピー元記録媒体１１に記録されたコピー対象のコンテンツデータ１１１かまたはコピー先記録媒体２１に記録されたコピーコンテンツデータ２１１のいずれかを選択してオリジナルのコンテンツデータであると決定し、他方をコピーされたコンテンツであると決定し、属性情報設定部３５に送出する。
【００４０】
オリジナル属性情報検索部３７は、ユーザ入力部５０から、記録媒体に記録されている第１再生制限情報または第２再生制限情報を更新するための再生制限情報更新指示が入力されたときに、コンテンツデータ記録再生装置１に装着されている記録媒体の中からコピーされたコンテンツデータとともに記録されているオリジナル識別情報に対応するオリジナル属性情報が存在するか否かを検索する。
【００４１】
再生制限情報更新部３８は、オリジナル属性情報検索部３７における検索の結果、再生制限情報更新対象のコピーされたコンテンツデータとともに記録されているオリジナル識別情報に対応するオリジナル属性情報がコンテンツデータ記録再生装置１に存在していたときには、取得した再生制限情報更新指示に従って、記録されている再生制限情報を更新させる。
【００４２】
再生制御部４０は、属性情報判定部４１と、再生条件比較部４３と、コンテンツデータ再生制御部４４と、再生回数更新部４５とを有する。
【００４３】
属性情報判定部４１は、ユーザ入力部５０からコンテンツデータを再生するためのコンテンツデータ再生指示が入力されたときに、この再生対象のコンテンツデータがオリジナルのコンテンツデータであるかコピーされたコンテンツデータであるかを、再生対象のコンテンツデータと同一の記録媒体に記録されている属性情報により判定する。
【００４４】
条件要素保持部４２は、再生対象のコンテンツデータが再生可能な状態であるか否かを判断するための、現在時刻情報、コピーされたコンテンツデータの再生回数情報などの条件要素を保持する。
【００４５】
再生条件比較部４３は、属性情報判定部４１において、再生対象のコンテンツデータがコピーされたコンテンツデータであると判定されたときに、再生対象のコンテンツデータに対する再生制限情報を該当する記録媒体から取得するとともに、この取得した再生制限情報と比較するための条件要素を条件要素保持部４２から取得してこれらの再生制限情報と条件要素とを比較し、再生可能な状態であるか否かを判定する。
【００４６】
コンテンツデータ再生制御部４４は、属性情報判定部４１において再生対象のコンテンツデータがオリジナルのコンテンツデータであると判定されたとき、または、再生条件比較部４３において再生対象のコピーされたコンテンツデータが再生可能な状態であると判定されたときに、該当する記録媒体から再生対象のコンテンツデータを取得して、外部の表示装置に再生させるために送信する。
【００４７】
再生回数更新部４５は、コピーされたコンテンツデータが記録された記録媒体に再生制限情報として再生可能試行回数が記録されているときには、コンテンツデータ再生制御部４４において再生処理が行われると、条件要素保持部４２に保持されている再生されたコンテンツデータの再生回数情報を更新させる。
【００４８】
ユーザ入力部５０は、ユーザによりコンテンツデータコピー指示が入力されたときにはこのコンテンツデータコピー指示をコピーデータ生成部３４に送出し、再生制限情報更新指示が入力されたときにはこの再生制限情報更新指示を再生制限情報更新部３８に送出し、コンテンツデータ再生指示が入力されたときにはこのコンテンツデータ再生指示を属性情報判定部４１に送出する。
【００４９】
〈一実施形態によるコンテンツデータ記録再生装置の動作〉
本発明の一実施形態によるコンテンツデータ記録再生装置の動作について、図５〜７のフローチャートを参照して説明する。
【００５０】
まず、予めコピー元記録媒体１１に記録されたコピー対象のコンテンツデータ１１１をコピーして、コピー元記録媒体１１とは別の記録媒体であるコピー先記録媒体２１に記録するときの記録制御部３０におけるコンテンツデータコピー処理について図５のフローチャートを参照して説明する。
【００５１】
本実施形態においては、コピー元記録媒体１１にはコピー対象のコンテンツデータ１１１とともに、このコピー対象のコンテンツデータ１１１がオリジナルのコンテンツデータであることを示す情報およびこのコピー対象のコンテンツデータ１１１の再生可能期限情報、再生可能試行回数、消去実行日時、または再生操作可能なユーザを識別するパスワードなどの再生制限情報を含む第１オリジナル属性情報１１２が記録されている。
【００５２】
まず、コピー元記録媒体１１がコピー元記録媒体用ドライブ１０に挿入されると、記録制御部３０のコピー元記録媒体特性判別部３１においてコピー元記録媒体１１が再生専用の記録媒体であるか、または書換え可能な記録媒体であるかが判断されることにより、コピー元記録媒体１１の媒体特性が判別される。
【００５３】
また、コピー先記録媒体２１がコピー先記録媒体用ドライブ２０に挿入されると、記録制御部３０のコピー先記録媒体特性判別部３２においてコピー先記録媒体２１が１回のみ書き込み可能な記録媒体であるか、または書換え可能な記録媒体であるかが判断されることにより、コピー先記録媒体２１の媒体特性が判別される（Ｓ１）。
【００５４】
次に、媒体特性比較部３３において、コピー元記録媒体特性判別部３１およびコピー先記録媒体特性判別部３２の判別結果が比較され、図２に示すように、（ａ）コピー元記録媒体が再生専用の記録媒体でありコピー先記録媒体が書換え可能な記録媒体である場合と、（ｂ）コピー元記録媒体が書き換え可能な記録媒体でありコピー先記録媒体が１回のみ書き込み可能な記録媒体である場合と、（ｃ）コピー元記録媒体、コピー先記録媒体ともに書換え可能な記録媒体である場合とのいずれに該当するかが判定される（Ｓ２）。
【００５５】
このようにコピー元記録媒体１１およびコピー先記録媒体２１が装着され、それぞれの媒体特性が判別され比較された状態で、ユーザの操作によりユーザ入力部５０からコンテンツデータをコピーするためのコンテンツデータコピー指示が入力されると、コピー対象のコンテンツデータが記録されているコピー元記録媒体１１に第１オリジナル属性情報が存在するか否かが属性情報設定部３５において判断される（Ｓ３）。
【００５６】
ステップＳ３において、コピー対象のコンテンツデータが記録されているコピー元記録媒体１１に第１オリジナル属性情報が存在すると判断されたときには（Ｓ３の「YES」）、コピーデータ生成部３４においてコピー元記録媒体１１からコピー対象のコンテンツデータ１１１が読み出されてコピーされることによりコピーコンテンツデータ２１１が生成され、生成されたこのコピーコンテンツデータ２１１がコピー先記録媒体２１に記録される（Ｓ４）。
【００５７】
ステップＳ３において、コピー対象のコンテンツデータが記録されているコピー元記録媒体１１に記録されている属性情報が、オリジナル属性情報ではなくコピー属性情報であるときには（Ｓ３の「NO」）、コンテンツデータコピー処理は不可能であると判断され処理が終了される。
【００５８】
コピーデータ生成部３４においてコピーされたコンテンツデータがコピー先記録媒体２１に記録され、ステップＳ２において媒体特性比較部３３で（ａ）コピー元記録媒体が再生専用の記録媒体でありコピー先記録媒体が書換え可能な記録媒体であると判定されているときは（Ｓ５の「YES」）、図３に示すように、属性情報設定部３５において、コピーコンテンツデータ２１１がコピーされたコンテンツデータであることを示す第１コピー属性情報２１２およびコピー元記録媒体１１に記録されている第１オリジナル属性情報１１２を識別するための第１オリジナル識別情報２１３が生成され、さらに第１オリジナル属性情報１１２に記録されている再生制限情報が抽出されて第１再生制限情報２１４が生成され、これらの第１コピー属性情報２１２と、第１オリジナル識別情報２１３と、第１再生制限情報２１４とがコピー先記録媒体２１に記録される（Ｓ６）。
【００５９】
また、コピーデータ生成部３４においてコピーされたコンテンツデータがコピー先記録媒体２１に記録され、ステップＳ２において媒体特性比較部３３で（ｂ）コピー元記録媒体が書き換え可能な記録媒体でありコピー先記録媒体が１回のみ書き込み可能な記録媒体であると判定されているときは（Ｓ５の「NO」、Ｓ７の「YES」）、図４に示すように、属性情報設定部３５において、コピー元記録媒体１１に記録されている第１オリジナル属性情報１１２の内容が第２オリジナル属性情報２１５としてコピー先記録媒体２１に記録されるとともに、コピー対象のコンテンツデータ１１１をコピーされたコンテンツデータとするための第２コピー属性情報１１３が生成され、コピー先記録媒体２１に記録された第２オリジナル属性情報２１５を識別するための第２オリジナル識別情報１１４が生成され、さらに第２オリジナル属性情報２１５から再生制限情報が抽出されて第２再生制限情報１１５が生成され、これらの第２コピー属性情報１１３、第２オリジナル識別情報１１４、および第２再生制限情報１１５がコピー元記録媒体１１に記録される（Ｓ８）。コピー元記録媒体１１にこれらの情報を記録された後、コピー元記録媒体１１に記録されていた第１オリジナル属性情報１１２は属性情報設定部３５により消去される。
【００６０】
また、コピーデータ生成部３４においてコピーされたコンテンツデータがコピー先記録媒体２１に記録され、ステップＳ２において媒体特性比較部３３で（ｃ）コピー元記録媒体、コピー先記録媒体ともに書換え可能な記録媒体であると判定されているときは（Ｓ７の「NO」）、属性選択部３６においてユーザの指示により、またはコンテンツデータ記録再生装置１に予め設定された基準により、コピー元記録媒体１１に記録されたコピー対象のコンテンツデータ１１１かまたはコピー先記録媒体２１に記録されたコピーコンテンツデータ２１１のいずれかが選択されてオリジナルのコンテンツデータであると決定され、他方がコピーされたコンテンツであると決定され、属性情報設定部３５に送出される。
【００６１】
属性選択部３６における処理の結果、コピー対象のコンテンツデータ１１１をオリジナルのコンテンツデータとすることが決定されたときには（Ｓ９の「YES」）、図３に示すように、第１コピー属性情報２１２と、第１オリジナル識別情報２１３と、第１再生制限情報とが生成されてコピー先記録媒体２１に記録される（Ｓ６）。
【００６２】
また、属性選択部３６における処理の結果、コピーコンテンツデータ２１１をオリジナルのコンテンツデータとすることが決定されたときには（Ｓ９の「NO」）、図４に示すように、コピー元記録媒体１１に記録されている第１オリジナル属性情報１１２が第２オリジナル属性情報としてコピー先記録媒体２１に記録されるとともに、第２コピー属性情報１１３と、第２オリジナル識別情報１１４と、第２再生制限情報１１５とが生成されてコピー元記録媒体１１に記録され（Ｓ８）、コピー元記録媒体１１に記録されていた第１オリジナル属性情報１１２が消去される。
【００６３】
以上で、コンテンツデータコピー処理が行われる際の動作の説明を終了する。
【００６４】
次に、コンテンツデータコピー処理が完了した状態で、ユーザの操作によりユーザ入力部５０からコピー先記録媒体２１に記録された第１再生制限情報２１４またはコピー元記録媒体１１に記録された第２再生制限情報１１５を更新するための再生制限情報更新指示が入力されたときの記録制御部３０における再生制限更新処理について、図６のフローチャートを参照して説明する。
【００６５】
ユーザ入力部５０から再生制限更新指示が入力されると（Ｓ１１）、オリジナル属性情報検索部３７において、コンテンツデータ記録再生装置１に装着されている記録媒体であるコピー元記録媒体１１およびコピー先記録媒体２１の中からコピーされたコンテンツデータとともに記録されているオリジナル識別情報に対応するオリジナル属性情報が存在するか否かが検索される（Ｓ１２）。
【００６６】
ステップＳ１２における検索の結果、コピーされたコンテンツデータとともに記録されているオリジナル識別情報に対応するオリジナル属性情報がコピー元記録媒体１１またはコピー先記録媒体２１の中に存在しており（Ｓ１３の「YES」）、該当する第1再生制限情報または第２再生制限情報により再生可能な状態であると判断されたときには（Ｓ１４の「YES」）、再生制限情報更新部３８において、取得した再生制限情報更新指示に従って記録されている再生制限情報が更新される（Ｓ１５）。
【００６７】
この再生制限情報更新処理によれば、例えば、第１再生制限情報または第２再生制限情報に記録されている再生可能期限情報または消去実行日時を2007年3月20日から2007年3月25日に延長したり、再生可能試行回数を３回から５回に増加させたり、再生可能なユーザを識別するパスワードを変更したりすることができる。
【００６８】
ここで、再生制限情報を更新するときの更新単位（例えば、再生可能期限情報や消去実行日時を更新する単位を５日としたり、再生可能試行回数を更新する単位を２回とするなど）は予め各再生制限情報に記録しておいてもよいし、ユーザにより指定できるようにしてもよい。
【００６９】
ステップＳ１３において、コピーされたコンテンツデータとともに記録されているオリジナル識別情報に対応するオリジナル属性情報がコピー元記録媒体１１またはコピー先記録媒体２１の中に存在しなかったとき（Ｓ１３の「NO」）、または、ステップＳ１４において再生制限情報により再生可能な状態ではないとき（Ｓ１４の「NO」）は、再生制限情報更新処理は行われず、処理は終了される。
【００７０】
以上で、第１再生制限情報または第２再生制限情報の更新処理が行われる際の動作の説明を終了する。
【００７１】
次に、コンテンツデータコピー処理が完了し必要に応じて第１再生制限情報または第２再生制限情報の更新が行われた状態で、ユーザの操作によりユーザ入力部５０からコピー先記録媒体２１に記録されたコピー対象のコンテンツデータ１１１またはコピー元記録媒体１１に記録されたコピーコンテンツデータ２１１を再生するためのコンテンツデータ再生指示が入力されたときの再生制御部４０におけるコンテンツデータ再生処理について、図７のフローチャートを参照して説明する。
【００７２】
ユーザ入力部５０からコンテンツデータ再生指示が入力されると（Ｓ２１）、再生が指示された再生対象のコンテンツデータが記録されている記録媒体であるコピー元記録媒体１１またはコピー先記録媒体２１に記録されているオリジナル属性情報またはコピー属性情報が、属性情報判定部４１において取得される（Ｓ２２）。
【００７３】
属性情報判定部４１において取得された属性情報がコピー属性情報であるときは（Ｓ２３の「YES」）再生対象のコンテンツデータがコピーされたコンテンツデータであると判定され、再生条件比較部４３において、再生対象のコンテンツデータに対する再生制限情報である第１再生制限情報２１４または第２再生制限情報１１５が該当する記録媒体から取得される（Ｓ２４）とともに、この取得された第１再生制限情報２１４または第２再生制限情報１１５と比較するための条件要素が条件要素保持部４２から取得され（Ｓ２５）、取得された第１再生制限情報２１４または第２再生制限情報１１５と条件要素とが比較され、再生可能な状態であるか否かが判定される（Ｓ２６）。
【００７４】
ステップＳ２３において取得された属性情報がオリジナル属性情報であるとき（Ｓ２３の「NO」）、または、ステップＳ２６において再生が可能な状態であると判定されたとき（Ｓ２６の「YES」）は、該当する記録媒体であるコピー元記録媒体１１またはコピー先記録媒体２１から再生対象のコンテンツデータを取得して、外部の表示装置に再生させるために送信されることにより再生処理が行われる（Ｓ２７）。
【００７５】
ステップＳ２７において再生処理が行われると、コピーされたコンテンツデータが記録された記録媒体に再生制限情報として再生可能試行回数が記録されているときには、条件要素保持部４２に保持されている再生されたコンテンツデータの再生回数情報が更新される（Ｓ２８）。
【００７６】
以上で、コピー対象のコンテンツデータ１１１またはコピーコンテンツデータ２１１の再生処理が行われる際の動作の説明を終了する。
【００７７】
上述した本実施形態のコンテンツデータ記録再生装置によれば、コピーされたコンテンツデータをコピー対象のコンテンツデータとしてはコンテンツデータコピー処理を行うことはできず、またコピーされたコンテンツデータは再生制限情報を満たさなければ再生処理を行うことができないため、不正コピーを防止することができる。
【００７８】
また、本実施形態のコンテンツデータ記録再生装置によれば、オリジナル属性情報とともに記録されたオリジナルのコンテンツデータが記録媒体に装着された状態であれば、コピーされたコンテンツデータの再生制限情報を更新することができ、オリジナルのコンテンツデータを所持する正規のユーザが私的に利用する際の利便性が妨げられない。
【００７９】
また、上記の実施形態のコンテンツデータ記録再生装置の記録制御部の機能構成または再生制御部の機能構成をプログラム化してコンピュータに組み込むことにより、当該コンピュータをコンテンツデータ記録装置またはコンテンツデータ再生装置として機能させるコンテンツデータ記録プログラムまたはコンテンツデータ再生プログラムを構築することも可能である。
【図面の簡単な説明】
【００８０】
【図１】本発明の一実施形態によるコンテンツデータ記録装置およびコンテンツデータ再生装置の機能を有するコンテンツデータ記録再生装置の構成を示すブロック図である。
【図２】本発明の一実施形態によるコンテンツデータ記録装置およびコンテンツデータ再生装置の機能を有するコンテンツデータ記録再生装置により決定される属性情報の一例を示す説明図である。
【図３】本発明の一実施形態によるコンテンツデータ記録装置およびコンテンツデータ再生装置の機能を有するコンテンツデータ記録再生装置に装着された記録媒体の詳細な構成を示すブロック図である。
【図４】本発明の一実施形態によるコンテンツデータ記録装置およびコンテンツデータ再生装置の機能を有するコンテンツデータ記録再生装置に装着された記録媒体の詳細な構成を示すブロック図である。
【図５】本発明の一実施形態による本発明の一実施形態によるコンテンツデータ記録装置およびコンテンツデータ再生装置によりコンテンツコピー処理が行われるときの動作を示すフローチャートである。
【図６】本発明の一実施形態による本発明の一実施形態によるコンテンツデータ記録装置およびコンテンツデータ再生装置により再生制限情報更新処理が行われるときの動作を示すフローチャートである。
【図７】本発明の一実施形態による本発明の一実施形態によるコンテンツデータ記録装置およびコンテンツデータ再生装置によりコンテンツ再生処理が行われるときの動作を示すフローチャートである。
【符号の説明】
【００８１】
１…コンテンツデータ記録再生装置
１０…コピー元記録媒体用ドライブ
１１…コピー元記録媒体
２０…コピー先記録媒体用ドライブ
２１…コピー先記録媒体
３０…記録制御部
３１…コピー元記録媒体特性判別部
３２…コピー先記録媒体特性判別部
３３…媒体特性比較部
３４…コピーデータ生成部
３５…属性情報設定部
３６…属性選択部
３７…オリジナル属性情報検索部
３８…再生制限情報更新部
４０…再生制御部
４１…属性情報判定部
４２…条件要素保持部
４３…再生条件比較部
４４…コンテンツデータ再生制御部
４５…再生回数更新部
５０…ユーザ入力部
１１１…コピー対象のコンテンツデータ
１１２…第１オリジナル属性情報
１１３…第２コピー属性情報
１１４…第２オリジナル識別情報
１１５…第２再生制限情報
２１１…コピーコンテンツデータ
２１２…第１コピー属性情報
２１３…第１オリジナル識別情報
２１４…第１再生制限情報
２１５…第２オリジナル属性情報
【図１】
2009009671.tif 000003
【図２】
2009009671.tif 000004
【図３】
2009009671.tif 000005
【図４】
2009009671.tif 000006
【図５】
2009009671.tif 000007
【図６】
2009009671.tif 000008
【図７】
2009009671.tif 000009